(57)【要約】【課題】特許文献１に示されるような従来の架台の構造では，仰角を設定する為には数種類の鋼材及びアングルを新たに設計，製作する必要がある。又ビルの屋上に設置する場合，梁の位置，耐荷重及び風圧等に対しても考慮する必要がある。この事は鋼材及びアングルの標準化が難しくその都度，架台を設計，製作する事が必要となる。本発明は上記課題に対し，汎用性のある架台を提供する事にある。【解決手段】設置用レールに設けられた空間を摺動し，且つ回転可能なハンマー形支柱６によって架台を構成するので部品の標準化が可能であり又作業効率も向上する。【選択図】図１
2012244139.tif 000002
【特許請求の範囲】
【請求項１】
設置用レールに設けられた空間内を摺動かつ回転可能なハンマー形支柱を用いる事により，該ハンマー形支柱の長さを変える事によって所望する仰角が得られる太陽電池用架台
【発明の詳細な説明】
【技術分野】
【０００１】本発明は設置が容易な太陽電池パネルの架台に関するものである。
【背景技術】
【０００２】ビルの屋上或いは広い土地に太陽電池パネルを設置する場合，発電効率を確保する為にその太陽電池パネルは仰角及び方位角が適正になるよう設置する必要がある。加えて太陽電池パネルの自重そして台風等の風圧に耐える構造が必要なことから，強度を確保する為に架台用の鋼材が重くなる。【０００３】特にビルの屋上に設置する場合には，架台を載せる台座を耐荷重が確保できる梁など構造物上に設ける事が必要となる。構造物が為す方位角は必ずしも太陽電池パネルの設置に適しておらず，仰角，荷重及び風圧を併せ考えると都度新規に設計，製作しなければならず，設置費用を抑える事が難しい状況にある。
【先行技術文献】
【特許文献１】特開２００４−１４０２５６号広報
【発明の概要】
【発明が解決しようとする課題】
【０００４】特許文献１に示されるような従来の架台の構造では，仰角を設定する為には数種類の鋼材及びアングルが必要となる。又ビルの屋上に設置する場合，梁の位置，耐荷重及び風圧等に対しても考慮する必要がある。この事は鋼材及びアングルの標準化が難しく新規に架台を設計，製作する事が必要となる事を意味する。【０００５】本発明は上記課題に対し，汎用性のある架台を提供する事にある。
【課題を解決するための手段】
【０００６】上記課題の１である仰角を任意に設定する方法は請求項１に記載の方法により解決する事が出来る。即ち太陽電池パネル基台１の両端に図１，図３に示すように回転可能な円柱部が摺動可能な空間が確保されている設置用レールＬ４及び設置用レールＨ５を夫々複数のナット９及び基台固定用ビス１０を用いて固定する。【０００７】又円柱部は支柱と一体化され，図２に示すようなハンマー形支柱６が形成されている。即ち太陽電池セル基板及び充填剤３，表面保護板２，太陽電池パネル基台１，設置用レールＬ４及び設置用レールＨ５の組品は複数本のハンマー形支柱６によって支えられる。【０００８】この時，設置用レールＬ４及び設置用レールＨ５はハンマー形支柱６が回転し，太陽電池パネルに仰角を得る為に開口部の一部が切り欠かれている。尚  図１及び図３の開口部の切り欠き部１２は片方であるが図４に示すように両方を切り欠く事により同一の部材とする事も可能である。
【発明の効果】
【０００９】太陽電池パネルの設置に際しては太陽電池パネル基台１に設置用レールＬ４及び設置用レールＨ５を取り付けた状態の太陽電池パネルユニット，ハンマー形支柱６及び台座８を現場において組み立てれば良い事になる。即ち所定の仰角が得られるように支柱の長さを切りそろえるだけの簡単な作業になるので作業時間の短縮を図る事ができる。【００１０】この方法によれば設置に関わる設計は仰角をθとすれば，支柱の足の長さ，台座８の間隔を割り出すだけで良い事になる。即ち太陽電池パネル基台の端からハンマー形支柱の回転軸までの長さをＸとすると，ハンマー形支柱６の長さの差は（太陽電池基台の長さ−２＊Ｘ）＊Ｓｉｎθ，又支柱の間隔は（太陽電池基台の長さ−２＊Ｘ）＊Ｃｏｓθで計算できる。【００１１】以上，台座８を水平な場所に設置する事を前提に計算したが，設置する場所に凹凸或いは傾斜がある場合には其の調整をハンマー形支柱６の足の長さで調節する事が可能である為設置作業は容易である。又，部材の標準化が可能となる事は明白である。
【図面の簡単な説明】
【００１２】
【図１】  台座，ハンマー形支柱，設置用レールＬ及び太陽電池セル基板及び充填剤のＡ−Ａ断面図である。
【図２】  台座，ハンマー形支柱，設置用レールＬ及び太陽電池セル基板及び充填剤のＢ−Ｂ断面図である。
【図３】  図１に対応する支柱がより長い側の断面図である。
【図４】  Ａ−Ａ断面図であって設置用レールＬ及び設置用レールＨに利用できる設置用レールを示す。
【発明を実施するための形態】
【実施例】
【００１３】上に示したように所望の仰角が決定されれば計算により台座８の位置が決定できるので其の計算結果に基づき台座８を固定すべく施工すれば良い。そしてハンマー形支柱６の長さも決定できるので夫々切り揃え且つ固定用ピン穴７を開ければ良い。【００１４】以下に組み立てについて概要を説明する。ハンマー形支柱６を設置用レールＬ４及び設置用レールＨ５に摺動させながら嵌め込み且つ台座８に挿入する。【００１５】この時，設置用レールＬ４及び設置用レールＨ５は切り欠かれており，ハンマー形支柱６は設置用レールＬ４及び設置用レールＨ５の空間内で回転するので無理なく挿入できる事になる。【００１６】そしてハンマー形支柱６が台座８から抜けないように固定用ピン穴７に割りピンを挿入する。【００１７】さてこの状態ではハンマー部と設置用レールＬ４及び設置用レールＨ５の空間内にガタがあるのでこれを無くすと同時に太陽電池基台が摺動しないように支柱固定用ビス１１を上記空間とハンマー部との間にねじ込む。【００１８】尚部品の寸法バラツキ等により各部品が風等の外力によって僅かに動く事が懸念される場合はエポキシ系接着剤を隙間に注入する事によりガタつきを無くす事も好適である。【００１９】上記説明では図１及び図３に示す設置用レールＬ４及び設置用レールＨ５を用いて説明したが，両方に切り欠き部１２を設けた図４に示すような設置用レールでも可能である。又ハンマー部に求められる機能は設置用レールの空間を摺動し，上下に抜けない事及び回転する事を満たしていればよく，ハンマー部断面が必ずしも円形である必要は無い。
【符号の説明】
【００２０】  １  太陽電池パネル基台
２  表面保護板
３  太陽電池セル基板及び充填剤
４  設置用レールＬ
５  設置用レールＨ
６  ハンマー形支柱
７  固定用ピン穴
８  台座
９  ナット
１０  基台固定用ビス
１１  支柱固定用ビス
１２  切り欠き部
【図１】
2012244139.tif 000003
【図２】
2012244139.tif 000004
【図３】
2012244139.tif 000005
【図４】
2012244139.tif 000006
【手続補正書】
【提出日】平成24年6月2日(2012.6.2)
【手続補正１】
【補正対象書類名】特許請求の範囲
【補正対象項目名】全文
【補正方法】変更
【補正の内容】
【特許請求の範囲】
【請求項１】
太陽電池パネルユニットを構成する設置用レールに設けられた空間内を摺動かつ回転可能なハンマー形支柱を用いる事により、該ハンマー形支柱の長さを変える事によって所望する仰角が得られる太陽電池パネル設置構造